(57)【特許請求の範囲】
【請求項１】
金属製の素材で正面から見て，縦長の長方形の枠状の形状を有したものを，壁埋め込み型フックの外部枠（１）とし，その内側を同じ素材で縦長の長方形の形状を有したものを，壁埋め込み型フック中心部（２）として，背面には同じ素材のフック（３）を固定させ，壁埋め込み型フックの外部枠（１）の背面壁側には，壁埋め込み型フック固定枠（４）を設け，固定枠止めネジ（６）で壁側に固定し，壁埋め込み型フックの外部枠（１）の背面と固定枠（４）は，ネジ（８）で固定し，壁埋め込み型フック中心部（２）の中心部左側面（２−２）と中心部右側面（２−４）のそれぞれの中点には，縦に回転させるための，回転軸（１１）を設け，壁埋め込み型フックの外部枠（１）の方にも受け入れる穴（１１−２）を設け，更に壁埋め込み型フック中心部（２）の中心部上面（２−１）と中心部底面（２−３）のそれぞれの中点に，鉄製の回転玉（１０）と回転玉を押すスプリング（１０−２）を内蔵させて，壁埋め込み型フック外部枠（１）側には，上部内面（１−５）と底内側面（１−７）のそれぞれの中点に，回転玉を受ける窪み（９）を設け，壁埋め込み型フックの外部枠（１）側に常にスプリングで窪み（９）側に鉄製の回転玉（１０）を押す構造であり，フック（３）を必要とする時は，壁埋め込み型フック中心部（２）を縦に回転させる事により，フックが表にでる構造の壁埋め込み型フック。
【発明の詳細な説明】
【技術分野】
【０００１】
本発明は，コンクリートの壁や木造住宅の壁に額縁をかける際に壁を破損させないように事前に設計の段階から埋め込んでおくフックに関する。
【背景技術】
【０００２】
従来，額縁を買ってきてコンクリートの壁に掛けようとする時，建物にあらかじめセットされているフックはなく，多くのマンション，多くのビルの一室を使用するときは大変不便をする事は避けられず悩みの種になっていることは多くの人が経験済みである。
特許文献１，特許文献２に記載はあるがこれは，ハンガーを前方に倒す方法を用いている。
【先行技術文献】
【特許文献】
【０００３】
【特許文献１】特開２００５−２４５５５４号公報
【特許文献２】特開平１０−８５１１６号公報
【発明の概要】
【発明が解決しようとする課題】
【０００４】
木造住宅は額縁をかける上部の釘は打つことが出来るが，下部二箇所の釘を打つために，丁度その場所の壁の内部に柱が入っているとは限らないため，壁に余分な穴を幾つもあけてしまう事がある。
コンクリート造りのマンションでは，素人では釘一つ打つ事が出来ない。特に賃貸のマンションでは壁に傷をつけては家主との間で大きなトラブルとなる。
又，テナントビルや自社ビルも同様であり，額縁を掛けることは何処の会社や役所でも必要であるが，建物の内部のフックに額縁を掛けるためにフックを利用しようとするが，額縁用フックを各部屋・各事務所ごとにセットされた物件はない。
これは大変不便であり解決しけければならない課題である。
【課題を解決するための手段】
【０００５】
課題を解決するために本発明は，以下の構成とした。
木造造りの住宅・鉄筋コンクリート造りのマンション・学校・役所・テナントビル・自社ビルその他において，建物を新築，又はリフォームの際は設計の段階から額縁用の壁埋め込み型フックを取り付ける構造にする。
壁埋め込み型フックの構造として，素材は金属を使い，正面から見て縦長長方形の枠の形状を有したものを，壁埋め込み型フックの外部枠（１）とする。
壁埋め込み型フックの外部枠（１）の内側には同じ素材で縦長の長方形の形状を有したものを，壁埋め込み型フック中心部（２）とする。
壁埋め込み型フック中心部（２）は，外部枠（１）の内側をスムーズに縦回転出来る構造にした。壁埋め込み型フック中心部（２）の背面には，同じ素材のフック（３）を逆さまに固定させて，必要時には１８０度縦に回転させて表に出すと正常なフック位置になるようにした。
壁埋め込み型フックの外部枠（１）の一番壁側には，壁埋め込み型フック中心部（２）がスムーズに縦回転出来る奥行き寸法の，正面だけ外した箱状の固定枠（４）をネジ（６）で壁側に固定させ，壁埋め込み型フック中心部（２）が縦に回転してフック（３）を外部に出せるようにした。
【０００６】
壁埋め込み型フックの構造の詳細として，壁埋め込み型フックの外部枠（１）の上部面を（１−１）として，左側面を（１−２），底面を（１−３），右側面を（１−４）とする。また，上部内面を（１−５），左内側面を（１−６），底内側面を（１−７），右内側面を（１−８）とする。
上部内面（１−５）と底内側面（１−７）のそれぞれの中点には，金属製回転玉を受け入れる窪み（９）を設けた。また，左内側面（１−６）と右内側面（１−８）のそれぞれの中点には，回転軸（１１）が入る穴（１１−２）を設けた。
壁埋め込み型フック中心部（２）の中心部上部面を（２−１），中心部左側面を（２−２），中心部底面を（２−３），中心部右側面を（２−４）とする。
中心部上部面（２−１）と中心部底面（２−３）のそれぞれの中点には内側に回転玉を押すスプリング（１０−２）と外側には，金属製回転玉（１０）を内蔵させた。
中心部左側面（２−２）と中心部右側面（２−４）には，それぞれの中点に回転軸（１１）を取り付けた。
壁埋め込み型フックの外部枠（１）は，背面の壁埋め込み型フック固定枠（４）に固定枠止めネジ（８）で固定し，フック（３）が縦に回転して表に出せるようにした。常に壁埋め込み型フックの外部枠（１）の回転玉を受ける窪み（９）側に，金属製回転玉（１０）をスプリング（１０−２）で常に玉を押しつける構造にした。
【発明の効果】
【０００７】
（イ）無駄なところに穴をあけて，建物に傷をつける必要がない。
（ロ）無駄な労力を使わなくて済む。
（ハ）高所作業の危険率を少なくできる。
（二）額縁をかける時は，短時間作業で終了しできる。
（ホ）鉄筋コンクリートの建物に最初から壁埋め込み型フックがセットされていると必要な時には直ぐ使用できる。  
（へ）フックを使用しないときは，ワンタッチで畳める。
（ト）企業も役所も，ビルの室内上座の上部に社訓・社是・感謝状・表章状等必要な額縁は壁に傷つけることなく取り付ける事が出来る。          
【図面の簡単な説明】
【０００８】
【図１】壁埋め込み式フックを畳んだ状態の正面図
【図２】壁埋め込み式フックを外に出した状態の正面図
【図３】壁埋め込み式フックを畳んだ状態の左側面から見た断面図
【図４】固定枠分解説明図  （Ａ）固定枠正面図  （Ｂ）固定枠左側面から見た断面図  （Ｃ）壁埋め込み型フック中心部のフックを出した状態の断面説明図   （Ｄ）壁埋め込み型フックの外部枠（１）の側面図
【図５】壁埋め込み式フックの平面から見たフックを畳んだ状態の断面図
【図６】壁埋め込み式フックの平面から見たフックを外に出した状態の断面図
【図７】壁埋め込み式フックの外部枠に固定枠側とネジで固定する前の断面斜視図
【図８】壁埋め込み型フックの外部枠と壁埋め込み型フック中心部の内部説明図
【図９】壁埋め込み式フックの固定枠正面図の内部と出っ張り説明図
【図１０】回転玉とスブリングの拡大断面説明図
【図１１】回転軸の取り付け拡大断面説明図
【図１２】壁埋め込み型フックの外部枠の面の説明図
【図１３】壁埋め込み型フック中心部の面の説明図
【図１４】壁埋め込み型フックに額縁固定具を使用して額縁を掛けた説明図
【図１５】壁埋め込み型フック一式を組み立てた斜視図
【図１６】（イ）型枠の箱部分を組み立てた斜視図（ロ）型枠の箱部分の内部を説明した斜視図
【図１７】コンパネを切り抜いて，型枠一式を入れて合成樹脂板をネジで固定した側面断面図
【図１８】コンパネを切り抜いて，型枠一式を入れて合成樹脂版をネジで固定した正面説明図
【発明を実施するための形態】
【０００９】
以下，本発明を実施するための最良の形態について説明する。
木造造りの住宅・コンクリート造りのマンション・学校・役所・テナントビル・自社ビルその他において，建物を新築，又はリフォームの際は設計の段階から額縁用の壁埋め込み型フックを取り付ける構造にすることによって，建物に傷を付けられる心配はなくなることと，建物に最初から壁埋め込み型フックをセットしてあれば便利がいい。又，建物に傷を付けられて，借り手の人とトラブルになることもなくなるようにした。
【００１０】
取り付け及び，使用方法について，固定枠（４）は，箱状で壁側にネジで固定するが，その手前側の面は，壁埋め込み型フック外部枠（１）とネジで固定する関係で開放した形状である。壁埋め込み型フック外部枠（１）と，固定枠（４）をネジ（８）で固定して，更に固定枠（４）を壁にネジ（６）で固定する場合は，壁埋め込み型フック中心部（２）の上部を壁側に押すと，固定枠にドライバーを入れて容易にネジを回す事が出来る。下部も同様の要領で壁側に固定する。
壁埋め込み型フック中心部（２）の中心部上部面（２−１）と中心部底面（２−３）の中点にそれぞれ内蔵してある玉は鉄製の丸い玉であり，常にスブリング（１０−２）で押しつけているために，壁埋め込み型フック中心部（２）を縦に回転させると回転玉を受ける窪み（９）と一致する位置で玉は窪みにスムーズに入り安定する。
壁埋め込み型フック中心部（２）の中心部左側面（２−２）と中心部右側面（２−４）のそれぞれの中点に取り付けた回転軸（１１）は，同位置同寸法で壁埋め込み型フック外部枠（１）側にも入るように穴（１１−２）を設けた構造にしている。
固定枠（４）の出っ張り（７）の左右上下寸法は，壁埋め込み型フック外部枠（１）と同寸法のためネジで固定出来る構造である。
【００１１】
型枠について説明する。
木造の建物は，型枠を必要とせず，必要な箇所の縦壁の面と壁埋め込み型フック外部枠（１）の正面と壁の面を揃えて埋め込んで，壁の内部にネジで固定する。
コンクリートの建物は，全体を覆うコンパネを組み立ててから，生コンを入れる前に必要な箇所にコンパネ（１５−７）を切り抜いて，金属製埋め込み型枠（１５−３）を入れて，合成樹脂板（１５−５）をネジ止めて，更にその外側から型枠表面板（１５−１）をネジ止めして，それから生コンを流し，コンクリート（１５−８）が固まってから，コンパネ（１５−７）を解体するが，金属製埋め込み型枠（１５−３）は，金属製で壁埋め込み型になっているので，型枠の解体時はコンクリートに埋まったままになってしまうので，それ以外の合成樹脂板（１５−５），型枠表面板（１５−１）を解体し，壁の表面加工が完成してから，縦回転する壁埋め込み型フック一式を取り付ける手順である。
金属製埋め込み型枠（１５−３）は，コンリリートに埋まったままで，壁埋め込み型フック外部枠（１）と壁埋め込み型フック中心部（２）と壁埋め込み型フック固定枠（４）を組み立てて，  金属製埋め込み型枠（１５−３）の中に入れる場合，固定枠（４）の外寸法が丁度入る寸法である。
又，合成樹脂板（１５−５）の取り外した後に，壁埋め込み型フック外部枠（１）も，同様に丁度入る寸法である。
【００１２】
コンクリートの壁に埋め込んだままの，金属製埋め込み型枠（５−３）が，ずれる事があっては困るので，金属製埋め込み型枠（１５−３）の左右外面に角溝を縦に入れ，上下外面にも角溝を奥から手前に，それぞれ数箇所設けた。
【符号の説明】
【００１３】
１．    壁埋め込み型フック外部枠
１−１．上部面
１−２．左側面
１−３．底面
１−４．右側面
１−５．上部内面
１−６．左内側面
１−７．底内側面
１−８．右内側面
２．    壁埋め込み型フック中心部
２−１．中心部上部面
２−２．中心部左側面
２−３．中心部底面
２−４．中心部右側面
３．    Ｌ型フック
４．    背面の壁埋め込み型フック固定枠
５．    固定枠止めネジ穴
６．    固定枠止めネジ
７．    壁埋め込み型フック外部枠と固定枠を連結する出っ張り
８．    壁埋め込み型フック外部枠と固定枠を止めるネジ
９．    回転玉を受ける窪み    
１０．    鉄製の回転玉          
１０−２．回転玉を押すスプリング
１１．    回転軸
１１−２．回転軸を受ける穴
１２．    額縁
１３．    壁
１４．    額縁固定具
１５．    金属製型枠本体
１５−１. 型枠表面板
１５−２. 型枠表面板を止めるネジ
１５−３. 金属製埋め込み型枠
１５−４．合成樹脂の板を止めるネジ
１５−５．合成樹脂板
１５−６．滑り止め溝
１５−７．コンパネ
１５−８．コンクリート
【要約】
【課題】額縁を壁にかける際に，短時間で作業が出来るように，建物の壁に余分な穴をあけずに，円滑に作業ができるようにする壁埋め込み型フックを提供する 。
【解決手段】新築又は，リフオームの際壁に設計段階からフックをセットしておき必要時には何時でも利用でき，不必要な時はフックを畳んでおける事を特徴とする。
【選択図】図２【図１】
0005462403.tif 000002
【図２】
0005462403.tif 000003
【図３】
0005462403.tif 000004
【図４】
0005462403.tif 000005
【図５】
0005462403.tif 000006
【図６】
0005462403.tif 000007
【図７】
0005462403.tif 000008
【図８】
0005462403.tif 000009
【図９】
0005462403.tif 000010
【図１０】
0005462403.tif 000011
【図１１】
0005462403.tif 000012
【図１２】
0005462403.tif 000013
【図１３】
0005462403.tif 000014
【図１４】
0005462403.tif 000015
【図１５】
0005462403.tif 000016
【図１６】
0005462403.tif 000017
【図１７】
0005462403.tif 000018
【図１８】
0005462403.tif 000019